(57)【要約】【課題】スリップモード時にフラッシュメモリに供給される電源を遮断することにより、電力消耗を減らして携帯端末機の待機時間を増やし得る電力消耗低減型携帯端末機及びその電力消耗低減方法を提供する。【解決手段】電力消耗低減型携帯端末機は、ネットワークとの信号の送受信を行う送受信部２１０と、送受信部２１０を介して受信される信号を保存し、フラッシュメモリ２３２を含む保存部２３０と、信号の送受信及び携帯端末機２００のスリップモード機能を制御し、スリップモード時にスイッチング部２５０にスリップモード信号を出力する制御部２４０と、スリップモード信号によってフラッシュメモリ２３２への電源供給を遮断するスイッチング部２５０とを含む。【選択図】図１
2006164289.tif 000002
【特許請求の範囲】
【請求項１】
ネットワークとの信号の送受信を行う送受信部と、
前記送受信部を介して受信される信号を保存し、フラッシュメモリを含む保存部と、
信号の送受信及び携帯端末機のスリップモード機能を制御し、スリップモード時にスイッチング部にスリップモード信号を出力する制御部と、
前記スリップモード信号によって前記フラッシュメモリへの電源供給を遮断するスイッチング部と、
を含むことを特徴とする電力消耗低減型携帯端末機。
【請求項２】
前記制御部が、所定時間以上携帯端末機のいずれの機能も使用されないか、又はフォルダやフリップが閉じるなどの所定の基準によって、前記携帯端末機をスリップモードに設定し、前記スイッチング部にスリップモード信号を出力して、前記フラッシュメモリへの電源供給を遮断することを特徴とする請求項１に記載の電力消耗低減型携帯端末機。
【請求項３】
前記スリップモード信号が、電源遮断信号であるローイネーブル信号であることを特徴とする請求項２に記載の電力消耗低減型携帯端末機。
【請求項４】
前記スリップモード信号が、ローロジックレベルを有するＴＣＸＯ＿ＥＮ信号であることを特徴とする請求項２に記載の電力消耗低減型携帯端末機。
【請求項５】
前記制御部が、スリップモード中に、ある機能が動作するか、信号が受信されるか、又はフォルダやフリップが開くなどの所定の基準によって、スリップモードを解除し、前記スイッチング部に電源供給信号を出力して、前記フラッシュメモリへの電源供給が行われるように制御することを特徴とする請求項１に記載の電力消耗低減型携帯端末機。
【請求項６】
前記スイッチング部は、電界効果トランジスタ（ＦＥＴ）で構成され、ゲート端は前記制御部に接続され、ドレイン端は外部の電源供給部に接続され、ソース端は前記フラッシュメモリに接続され、スリップモード信号が入力されるとオフになることを特徴とする請求項１に記載の電力消耗低減型携帯端末機。
【請求項７】
スリップモード時、前記フラッシュメモリに入力される動作信号を遮断して誤動作を防止する防止部をさらに含むことを特徴とする請求項１に記載の電力消耗低減型携帯端末機。
【請求項８】
前記防止部は、スリップモード時、前記フラッシュメモリに入力される動作信号及びスリップモード信号がそれぞれ入力され、前記動作信号が前記フラッシュメモリに入力されることを防止する複数のアンドゲートを含むことを特徴とする請求項７に記載の電力消耗低減型携帯端末機。
【請求項９】
携帯端末機がスリップモード状態になると、スイッチング部にスリップモード信号を出力する段階と、
前記スリップモード信号によってフラッシュメモリへの電源供給を遮断する段階と、
を含むことを特徴とする携帯端末機の電力消耗低減方法。
【請求項１０】
前記携帯端末機が、所定時間以上いずれの機能も使用されないか、又はフォルダやフリップが閉じるなどの所定の基準によって、スリップモード状態になることを特徴とする請求項９に記載の携帯端末機の電力消耗低減方法。
【請求項１１】
前記スリップモード信号が、電源遮断信号であるローイネーブル信号であることを特徴とする請求項９に記載の携帯端末機の電力消耗低減方法。
【請求項１２】
前記スリップモード信号が、ローロジックレベルを有するＴＣＸＯ＿ＥＮ信号であることを特徴とする請求項９に記載の携帯端末機の電力消耗低減方法。
【請求項１３】
スリップモード中に、ある機能が動作するか、信号が受信されるか、又はフォルダやフリップが開くなどの所定の基準によって、スリップモードを解除する段階と、
前記スイッチング部に電源供給信号を出力して、前記フラッシュメモリへの電源供給が行われるように制御する段階と、
をさらに含むことを特徴とする請求項９に記載の携帯端末機の電力消耗低減方法。
【請求項１４】
スリップモード時、前記フラッシュメモリに入力される動作信号を遮断して誤動作を防止する段階をさらに含むことを特徴とする請求項９に記載の携帯端末機の電力消耗低減方法。
【発明の詳細な説明】
【技術分野】
【０００１】
本発明は、携帯端末機に関し、特に、電力消耗低減型携帯端末機及びその電力消耗低減方法に関する。
【背景技術】
【０００２】
近年、携帯端末機にカメラ、ゲーム、及び無線インターネットなどの多様な機能が追加されることによって、使用者が携帯端末機を使用する時間が非常に長くなっている。これに伴い、携帯端末機に電源を供給するバッテリーの容量も向上して、バッテリーの消耗が速いことによる使用者の不便さが少なくなったが、依然として改善の余地は残っている。
【０００３】
一般に、従来の携帯端末機のメモリは、フラッシュメモリ及びＲＡＭで設計される。前記フラッシュメモリは、コード保存、ファイルシステム用に使用され、前記ＲＡＭは、実際にコードイメージを実行させることに使用される。携帯端末機の起動時に前記フラッシュメモリのコードエリアを前記ＲＡＭにコピーした後は、あるアプリケーションから別途の要求がない限り前記フラッシュメモリは使用されない。どのアプリケーションも実行されておらず前記フラッシュメモリへの接近の要求がない携帯端末機の状態をスリップモードといい、このようなスリップモードにおいても前記フラッシュメモリへの電源供給は継続されるが、以下、これについて図５に基づいて説明する。
【０００４】
図５は従来の携帯端末機のフラッシュメモリとプロセッサとの接続関係を示す構造図である。
【０００５】
同図に示すように、従来の携帯端末機において、フラッシュメモリ１０４には、該フラッシュメモリ１０４を駆動させるためのＣＳ＿（Ｃｈｉｐ  Ｓｅｌｅｃｔ）信号、ＯＥ＿（Ｏｕｔｐｕｔ  Ｅｎａｂｌｅ）信号、ＷＥ＿（Ｗｒｉｔｅ  Ｅｎａｂｌｅ）信号、及びＷＰ＿（Ｗｒｉｔｅ  Ｐｒｏｔｅｃｔ）信号のような所定信号がプロセッサ１０３から直接入力され、駆動電圧Ｖｃｃが外部の電圧供給部（一般に、バッテリー）（図示せず）から直接入力される。従って、フラッシュメモリ１０４にはその使用の有無に関係なく常に電圧が印加される。
【０００６】
しかしながら、フラッシュメモリ１０４は不揮発性メモリであり、使用されない場合は電源供給が不要であるので、従来の携帯端末機においては、不要な電力消耗によりバッテリーの電源が浪費され、待機時間が短くなるという問題があった。
【発明の開示】
【発明が解決しようとする課題】
【０００７】
本発明は、このような従来技術の問題を解決するためになされたもので、電力消耗を低減できる電力消耗低減型携帯端末機及びその電力消耗低減方法を提供することを目的とする。
【課題を解決するための手段】
【０００８】
このような目的を達成するために、本発明に係る電力消耗低減型携帯端末機は、ネットワークとの信号の送受信を行う送受信部と、前記送受信部を介して受信される信号を保存し、フラッシュメモリを含む保存部と、信号の送受信及び携帯端末機のスリップモード機能を制御し、スリップモード時にスイッチング部にスリップモード信号を出力する制御部と、前記スリップモード信号によって前記フラッシュメモリへの電源供給を遮断するスイッチング部とを含むことを特徴とする。
【０００９】
また、前記制御部は、所定時間以上携帯端末機のいずれの機能も使用されないか、又はフォルダやフリップが閉じるなどの所定の基準によって、前記携帯端末機をスリップモードに設定し、前記スイッチング部にスリップモード信号を出力して、前記フラッシュメモリへの電源供給を遮断することを特徴とする。前記スリップモード信号は、電源遮断信号であるローイネーブル信号であり、ローロジックレベルを有するＴＣＸＯ＿ＥＮ信号であり得る。
【００１０】
また、前記制御部は、スリップモード中に、ある機能が動作するか、信号が受信されるか、又はフォルダやフリップが開くなどの所定の基準によって、スリップモードを解除し、前記スイッチング部に電源供給信号を出力して、前記フラッシュメモリへの電源供給が行われるように制御することを特徴とする。
【００１１】
また、前記スイッチング部は、電界効果トランジスタ（ＦＥＴ）で構成され、ゲート端は前記制御部に接続され、ドレイン端は外部の電源供給部に接続され、ソース端は前記フラッシュメモリに接続され、スリップモード信号が入力されるとオフになることを特徴とする。
【００１２】
また、本発明に係る電力消耗低減型携帯端末機は、スリップモード時、前記フラッシュメモリに入力される動作信号を遮断して誤動作を防止する防止部をさらに含むことを特徴とする。前記防止部は、スリップモード時、前記フラッシュメモリに入力される動作信号及びスリップモード信号がそれぞれ入力され、前記動作信号が前記フラッシュメモリに入力されることを防止する複数のアンドゲートを含むことを特徴とする。
【００１３】
さらに、本発明に係る携帯端末機の電力消耗低減方法は、携帯端末機がスリップモード状態になると、スイッチング部にスリップモード信号を出力する段階と、前記スリップモード信号によってフラッシュメモリへの電源供給を遮断する段階とを含むことを特徴とする。
【００１４】
上記目的を達成するために、本発明は、例えば、以下の手段を提供する。
【００１５】
（項目１）
ネットワークとの信号の送受信を行う送受信部と、
前記送受信部を介して受信される信号を保存し、フラッシュメモリを含む保存部と、
信号の送受信及び携帯端末機のスリップモード機能を制御し、スリップモード時にスイッチング部にスリップモード信号を出力する制御部と、
前記スリップモード信号によって前記フラッシュメモリへの電源供給を遮断するスイッチング部と、
を含むことを特徴とする電力消耗低減型携帯端末機。
【００１６】
（項目２）
前記制御部が、所定時間以上携帯端末機のいずれの機能も使用されないか、又はフォルダやフリップが閉じるなどの所定の基準によって、前記携帯端末機をスリップモードに設定し、前記スイッチング部にスリップモード信号を出力して、前記フラッシュメモリへの電源供給を遮断することを特徴とする項目１に記載の電力消耗低減型携帯端末機。
【００１７】
（項目３）
前記スリップモード信号が、電源遮断信号であるローイネーブル信号であることを特徴とする項目２に記載の電力消耗低減型携帯端末機。
【００１８】
（項目４）
前記スリップモード信号が、ローロジックレベルを有するＴＣＸＯ＿ＥＮ信号であることを特徴とする項目２に記載の電力消耗低減型携帯端末機。
【００１９】
（項目５）
前記制御部が、スリップモード中に、ある機能が動作するか、信号が受信されるか、又はフォルダやフリップが開くなどの所定の基準によって、スリップモードを解除し、前記スイッチング部に電源供給信号を出力して、前記フラッシュメモリへの電源供給が行われるように制御することを特徴とする項目１に記載の電力消耗低減型携帯端末機。
【００２０】
（項目６）
前記スイッチング部は、電界効果トランジスタ（ＦＥＴ）で構成され、ゲート端は前記制御部に接続され、ドレイン端は外部の電源供給部に接続され、ソース端は前記フラッシュメモリに接続され、スリップモード信号が入力されるとオフになることを特徴とする項目１に記載の電力消耗低減型携帯端末機。
【００２１】
（項目７）
スリップモード時、前記フラッシュメモリに入力される動作信号を遮断して誤動作を防止する防止部をさらに含むことを特徴とする項目１に記載の電力消耗低減型携帯端末機。
【００２２】
（項目８）
前記防止部は、スリップモード時、前記フラッシュメモリに入力される動作信号及びスリップモード信号がそれぞれ入力され、前記動作信号が前記フラッシュメモリに入力されることを防止する複数のアンドゲートを含むことを特徴とする項目７に記載の電力消耗低減型携帯端末機。
【００２３】
（項目９）
携帯端末機がスリップモード状態になると、スイッチング部にスリップモード信号を出力する段階と、
前記スリップモード信号によってフラッシュメモリへの電源供給を遮断する段階と、
を含むことを特徴とする携帯端末機の電力消耗低減方法。
【００２４】
（項目１０）
前記携帯端末機が、所定時間以上いずれの機能も使用されないか、又はフォルダやフリップが閉じるなどの所定の基準によって、スリップモード状態になることを特徴とする項目９に記載の携帯端末機の電力消耗低減方法。
【００２５】
（項目１１）
前記スリップモード信号が、電源遮断信号であるローイネーブル信号であることを特徴とする項目９に記載の携帯端末機の電力消耗低減方法。
【００２６】
（項目１２）
前記スリップモード信号が、ローロジックレベルを有するＴＣＸＯ＿ＥＮ信号であることを特徴とする項目９に記載の携帯端末機の電力消耗低減方法。
【００２７】
（項目１３）
スリップモード中に、ある機能が動作するか、信号が受信されるか、又はフォルダやフリップが開くなどの所定の基準によって、スリップモードを解除する段階と、
前記スイッチング部に電源供給信号を出力して、前記フラッシュメモリへの電源供給が行われるように制御する段階と、
をさらに含むことを特徴とする項目９に記載の携帯端末機の電力消耗低減方法。
【００２８】
（項目１４）
スリップモード時、前記フラッシュメモリに入力される動作信号を遮断して誤動作を防止する段階をさらに含むことを特徴とする項目９に記載の携帯端末機の電力消耗低減方法。
【発明の効果】
【００２９】
本発明に係る電力消耗低減型携帯端末機及びその電力消耗低減方法は、スリップモード時にフラッシュメモリに供給される電源を遮断することにより、電力消耗を減らして携帯端末機の待機時間を増やし得るという効果がある。
【発明を実施するための最良の形態】
【００３０】
以下、添付した図面に基づいて本発明の好ましい実施形態について説明する。
【００３１】
図１は本発明に係る電力消耗低減型携帯端末機の一実施形態の構成を示すブロック図である。
【００３２】
同図に示すように、携帯端末機２００は、ネットワークとの信号の送受信を行う送受信部２１０と、前記信号の送受信中に発生する周波数の変化を補正する補正部２２０と、送受信部２１０を介して受信される信号を保存し、フラッシュメモリ２３２を含む保存部２３０と、信号の送受信及び携帯端末機２００のスリップモード機能を制御し、スリップモード時に補正部２２０にスリップモード信号を出力する制御部２４０と、前記スリップモード信号によってフラッシュメモリ２３２への電源供給を遮断するスイッチング部２５０とを含む。
【００３３】
また、補正部２２０は、温度変化によって起こる周波数撹乱を統制する温度補償型水晶発振器（Ｔｅｍｐｅｒａｔｕｒｅ  Ｃｏｍｐｅｎｓａｔｅｄ  Ｃｒｙｓｔａｌ  Ｏｓｃｉｌｌａｔｏｒ；ＴＣＸＯ）であり得る。
【００３４】
また、保存部２３０は、フラッシュメモリ２３２とＲＡＭ２３４とを含み、送受信部２１０に受信された信号を制御部２４０の制御によって保存する。ここで、フラッシュメモリ２３２はＮＡＮＤ型のフラッシュメモリであり、ＲＡＭ２３４はＳＤＲＡＭであり得る。
【００３５】
また、制御部２４０は、移動局モデム（Ｍｏｂｉｌｅ  Ｓｔａｔｉｏｎ  Ｍｏｄｅｍ；ＭＳＭ）チップのようなプロセッサであり、所定時間以上携帯端末機２００のいずれの機能も使用されないか、又はフォルダやフリップが閉じるなどの所定の基準によって、携帯端末機２００をスリップモードに設定する。
【００３６】
ここで、スリップモードとは、携帯端末機の電力消耗を最小化するために、携帯端末機が使用されない場合、受信待機に必ず必要な部品のみに電力供給を行い、それ以外の部品には電力供給を遮断することにより、限定されたバッテリーの電力で最大限長時間携帯端末機を使用できるようにする機能をいう。
【００３７】
このようなスリップモード時、制御部２４０は、スリップモード信号を補正部２２０に出力する。ここで、前記スリップモード信号は、電源遮断信号であるローイネーブル（Ｅｎａｂｌｅ；ＥＮ）信号であり、補正部２２０がＴＣＸＯの場合、Ｌｏｗ  ＴＣＸＯ＿ＥＮのように表示することができる。
【００３８】
また、制御部２４０は、スリップモード中に、ある機能が動作するか、信号が受信されるか、又はフォルダやフリップが開くなどの所定の基準によって、スリップモードを解除する。また、制御部２４０は、携帯端末機の動作時、電源供給信号であるハイイネーブル信号を補正部２２０に出力する。即ち、携帯端末機の動作時には、制御部２４０から補正部２２０に出力されるイネーブル（ＴＣＸＯ＿ＥＮ）信号がハイロジックレベルに制御されて、補正部２２０に電源が供給され、スリップモード時には、制御部２４０から補正部２２０に出力されるイネーブル（ＴＣＸＯ＿ＥＮ）信号がローロジックレベルに降下して、補正部２２０に供給される電源が遮断される。
【００３９】
また、スイッチング部２５０は、制御部２４０が補正部２２０に出力するスリップモード信号、即ち、補正部２２０の電源遮断信号により、フラッシュメモリ２３２に供給される電源を遮断し、制御部２４０が補正部２２０に出力する電源供給信号により、フラッシュメモリ２３２に電源を供給する。
【００４０】
図２は本発明の一実施形態による制御部とフラッシュメモリとの接続関係を示す構造図である。
【００４１】
図１及び図２に示すように、フラッシュメモリ２３２の電源供給端にスイッチング部２５０が接続され、制御部２４０が補正部２２０に出力するイネーブル（ＴＣＸＯ＿ＥＮ）信号をスイッチング部２５０の制御に使用するようにする。前述したように、スリップモード時には、前記ＴＣＸＯ＿ＥＮ信号がローロジックレベルに降下して、スイッチング部２５０により電源供給を遮断するようにし、ウェイクアップ時、遊休状態、又は携帯端末機２００の動作時には、前記ＴＣＸＯ＿ＥＮ信号がハイロジックレベルに制御されて、スイッチング部２５０によりフラッシュメモリ２３２に電源供給を行わせる。
【００４２】
図３は本発明の一実施形態によるスイッチング部の構造を示す図である。
【００４３】
同図に示すように、スイッチング部２５０は、電界効果トランジスタ（ＦＥＴ）のようなトランジスタで構成され、ゲート端は制御部２４０に接続され、ドレイン端はバッテリーのような外部の電源供給部に接続され、ソース端はフラッシュメモリ２３２に接続される。
【００４４】
これにより、携帯端末機２００の通信時、制御部２４０から補正部２２０に出力されるＴＣＸＯ＿ＥＮ信号がハイロジックレベルを有するため、ゲートとソース間の電圧ＶＧＳが所定電圧以上に上昇してスイッチング部２５０がオンになる。これにより、外部の電圧供給部からフラッシュメモリ２３２に電圧が供給される。
【００４５】
スリップモード時には、制御部２４０から補正部２２０にスリップモード信号が出力されるため、即ち、制御部２４０から補正部２２０に出力されるＴＣＸＯ＿ＥＮ信号がローロジックレベルを有するため、電圧ＶＧＳが所定電圧以下に下降してスイッチング部２５０がオフになる。
【００４６】
前述したように、本発明に係る電力消耗低減型携帯端末機の一実施形態においては、スリップモード時、バッテリーのような外部の電圧供給部からフラッシュメモリに印加される電圧は遮断するが、この場合、フラッシュメモリを駆動させるためのＣＳ＿（Ｃｈｉｐ  Ｓｅｌｅｃｔ）信号、ＯＥ＿（Ｏｕｔｐｕｔ  Ｅｎａｂｌｅ）信号、ＷＥ＿（Ｗｒｉｔｅ  Ｅｎａｂｌｅ）信号、及びＷＰ＿（Ｗｒｉｔｅ  Ｐｒｏｔｅｃｔ）信号のような所定信号が入力されて誤動作を起こすことがある。
【００４７】
以下、このような誤動作を防止するユニット（本実施形態においては、誤動作防止部５１０）をさらに含む、本発明に係る電力消耗低減型携帯端末機の他の実施形態について図４に基づいて説明する。
【００４８】
同図に示すように、制御部２４０からフラッシュメモリ２３２に出力される動作信号は、誤動作防止部５１０を経由する。誤動作防止部５１０は、制御部２４０からフラッシュメモリ２３２に入力される動作信号がそれぞれ入力される複数のアンドゲート５２０−１〜５２０−Ｎを含む。
【００４９】
また、各アンドゲート５２０−１〜５２０−Ｎの入力端には、該当アンドゲートが接続された制御部２４０の各動作信号出力ピンから出力される動作信号、及び制御部２４０からスイッチング部２５０に入力されるＴＣＸＯ＿ＥＮ信号が入力され、各アンドゲート５２０−１〜５２０−Ｎの出力端は、フラッシュメモリ２３２の該当入力端に接続される。
【００５０】
携帯端末機のスリップモード時、制御部２４０からスリップモード信号、即ち、ローロジックレベルを有するＴＣＸＯ＿ＥＮ信号が出力されると、誤動作防止部５１０の各アンドゲート５２０−１〜５２０−Ｎの入力端にもローロジックレベルを有するＴＣＸＯ＿ＥＮ信号が入力される。
【００５１】
アンドゲートは、入力される２つの信号ともハイロジックレベルの場合にのみハイロジックレベルの出力を出すように動作するため、前記ローロジックレベルを有するＴＣＸＯ＿ＥＮ信号がそれぞれ入力されたアンドゲート５２０−１〜５２０−Ｎは、動作信号が入力されてもローロジックレベルの出力を出し、よって、スリップモード時、フラッシュメモリ２３２に入力される全ての動作信号が遮断されて誤動作を防止することができる。
【００５２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００５３】
スリップモード時にフラッシュメモリに供給される電源を遮断することにより、電力消耗を減らして携帯端末機の待機時間を増やし得る電力消耗低減型携帯端末機及びその電力消耗低減方法を提供する。
【００５４】
電力消耗低減型携帯端末機は、ネットワークとの信号の送受信を行う送受信部２１０と、送受信部２１０を介して受信される信号を保存し、フラッシュメモリ２３２を含む保存部２３０と、信号の送受信及び携帯端末機２００のスリップモード機能を制御し、スリップモード時にスイッチング部２５０にスリップモード信号を出力する制御部２４０と、スリップモード信号によってフラッシュメモリ２３２への電源供給を遮断するスイッチング部２５０とを含む。
【図面の簡単な説明】
【００５５】
【図１】本発明に係る電力消耗低減型携帯端末機の一実施形態の構成を示すブロック図である。
【図２】本発明の一実施形態による制御部とフラッシュメモリとの接続関係を示す構造図である。
【図３】本発明の一実施形態によるスイッチング部の構造を示す図である。
【図４】本発明の他の実施形態による制御部とフラッシュメモリとの接続関係を示す構造図である。
【図５】従来の携帯端末機のフラッシュメモリとプロセッサとの接続関係を示す構造図である。
【符号の説明】
【００５６】
２００  携帯端末機
２１０  送受信部
２２０  補正部
２３０  保存部
２３２  フラッシュメモリ
２３４  ＲＡＭ
２４０  制御部
２５０  スイッチング部
５１０  防止部
５２０−１〜５２０−Ｎ  アンドゲート
【図１】
2006164289.tif 000003
【図２】
2006164289.tif 000004
【図３】
2006164289.tif 000005
【図４】
2006164289.tif 000006
【図５】
2006164289.tif 000007